(57)【要約】【課題】各店舗端末での面倒なレシート受け取り方法情報の入力を不要にしたレシート発行管理システムの提供。【解決手段】会員個人を表わす個人識別情報及び該会員個人が指示したレシート受け取り方法情報を、中央のレシート発行管理装置２０において、記憶すると共に、前記個人識別情報及び前記レシート受け取り方法情報を、中央のレシート発行管理装置２０において、前記会員個人の会員証としての個人識別用媒体６０に書き込み、その個人識別用媒体６０を各店舗で使用するようにすることにより、各店舗端末２００での面倒なレシート受け取り方法情報の入力を不要にしたレシート発行管理システム。【選択図】図１
2005025664.tif 000002
【特許請求の範囲】
【請求項１】
プロセッサと、該プロセッサに所定の処理を実行させるためのプログラムを格納すると共に前記プロセッサが前記プログラムを実行する際に一時記憶としても動作するメモリとを備えたレシート発行管理装置であって、
前記所定の処理は、
会員個人を表わす個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人の会員証としての個人識別用媒体に書き込む第２のステップと、
前記会員個人が店舗に代金を支払う際に、店舗端末に、前記個人識別用媒体の前記個人識別情報及び前記レシート受け取り方法情報を読み込ませた後に、支払いを行った場合で、しかも、前記店舗端末が読み込んだ前記レシート受け取り方法情報がウェブでの閲覧を表わしている場合に、前記店舗端末から送信された、前記支払いの明細を表わすレシート明細データと前記店舗端末が読み込んだ前記個人識別情報とを受信すると、前記レシート明細データを前記個人識別情報に対応させて前記メモリにウェブサイトとして記憶させる第３のステップとを含み、
別端末にて、前記個人識別情報を用いて前記ウェブサイトにログインすることによって、前記レシート明細データの閲覧を可能としたことを特徴とするレシート発行管理装置。
【請求項２】
店舗に設けられた店舗端末と、該店舗端末に接続されたレシート発行管理装置と、該レシート発行管理装置に接続された別端末とを含むレシート発行管理システムにおいて、
前記レシート発行管理装置は、プロセッサと、該プロセッサに所定の処理を実行させるためのプログラムを格納すると共に前記プロセッサが前記プログラムを実行する際に一時記憶としても動作するメモリとを備え、
前記所定の処理は、
会員個人を表わす個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人の会員証としての個人識別用媒体に書き込む第２のステップと、
前記会員個人が前記店舗に代金を支払う際に、前記店舗端末に、前記個人識別用媒体の前記個人識別情報及び前記レシート受け取り方法情報を読み込ませた後に、支払いを行った場合で、しかも、前記店舗端末が読み込んだ前記レシート受け取り方法情報がウェブでの閲覧を表わしている場合に、前記店舗端末から送信された、前記支払いの明細を表わすレシート明細データと前記店舗端末が読み込んだ前記個人識別情報とを受信すると、前記レシート明細データを前記個人識別情報に対応させて前記メモリにウェブサイトとして記憶させる第３のステップとを含み、
前記別端末にて、前記個人識別情報を用いて前記ウェブサイトにログインすることによって、前記レシート明細データの閲覧を可能としたことを特徴とするレシート発行管理システム。
【請求項３】
プロセッサと、該プロセッサに所定の処理を実行させるためのプログラムを格納すると共に前記プロセッサが前記プログラムを実行する際に一時記憶としても動作するメモリとを備えたレシート発行管理装置における前記プログラムであって、
前記所定の処理は、
会員個人を表わす個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人の会員証としての個人識別用媒体に書き込む第２のステップと、
前記会員個人が店舗に代金を支払う際に、店舗端末に、前記個人識別用媒体の前記個人識別情報及び前記レシート受け取り方法情報を読み込ませた後に、支払いを行った場合で、しかも、前記店舗端末が読み込んだ前記レシート受け取り方法情報がウェブでの閲覧を表わしている場合に、前記店舗端末から送信された、前記支払いの明細を表わすレシート明細データと前記店舗端末が読み込んだ前記個人識別情報とを受信すると、前記レシート明細データを前記個人識別情報に対応させて前記メモリにウェブサイトとして記憶させる第３のステップとを含み、
別端末にて、前記個人識別情報を用いて前記ウェブサイトにログインすることによって、前記レシート明細データの閲覧を可能としたことを特徴とするレシート発行管理装置用プログラム。
【請求項４】
プロセッサと、該プロセッサに所定の処理を実行させるためのプログラムを格納すると共に前記プロセッサが前記プログラムを実行する際に一時記憶としても動作するメモリとを備えたレシート発行管理装置であって、
前記所定の処理は、
会員個人を表わす個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人の会員証としての個人識別用媒体に書き込む第２のステップと、
前記会員個人が店舗に代金を支払う際に、店舗端末に、前記個人識別用媒体の前記個人識別情報及び前記レシート受け取り方法情報を読み込ませた後に、支払いを行った場合で、しかも、前記店舗端末が読み込んだ前記レシート受け取り方法情報が電子メールでの受信を表わしている場合に、前記店舗端末から送信された、前記支払いの明細を表わすレシート明細データと前記店舗端末が読み込んだ前記個人識別情報とを受信すると、前記レシート明細データを前記個人識別情報に対応させて前記メモリに記憶させる第３のステップとを含み、
前記第１のステップは、前記個人識別情報及び前記レシート受け取り方法情報のみならず、前記会員個人のメールアドレスをも入力され、該メールアドレスを前記個人識別情報に対応させて前記メモリに記憶させるステップであり、
前記所定の処理は、
前記メモリに前記個人識別情報に対応して記憶されている前記レシート明細データを、前記個人識別情報に対応して記憶されているメールアドレスへ送信する第４のステップを、更に含み、
前記メールアドレスを有する別端末にて、前記レシート明細データの受信を可能としたことを特徴とするレシート発行管理装置。
【請求項５】
店舗に設けられた店舗端末と、該店舗端末に接続されたレシート発行管理装置と、該レシート発行管理装置に接続された別端末とを含むレシート発行管理システムにおいて、
前記レシート発行管理装置は、プロセッサと、該プロセッサに所定の処理を実行させるためのプログラムを格納すると共に前記プロセッサが前記プログラムを実行する際に一時記憶としても動作するメモリとを備え、
前記所定の処理は、
会員個人を表わす個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人の会員証としての個人識別用媒体に書き込む第２のステップと、
前記会員個人が前記店舗に代金を支払う際に、前記店舗端末に、前記個人識別用媒体の前記個人識別情報及び前記レシート受け取り方法情報を読み込ませた後に、支払いを行った場合で、しかも、前記店舗端末が読み込んだ前記レシート受け取り方法情報が電子メールでの受信を表わしている場合に、前記店舗端末から送信された、前記支払いの明細を表わすレシート明細データと前記店舗端末が読み込んだ前記個人識別情報とを受信すると、前記レシート明細データを前記個人識別情報に対応させて前記メモリに記憶させる第３のステップとを含み、
前記第１のステップは、前記個人識別情報及び前記レシート受け取り方法情報のみならず、前記会員個人のメールアドレスをも入力され、該メールアドレスを前記個人識別情報に対応させて前記メモリに記憶させるステップであり、
前記所定の処理は、
前記メモリに前記個人識別情報に対応して記憶されている前記レシート明細データを、前記個人識別情報に対応して記憶されているメールアドレスへ送信する第４のステップを、更に含み、
前記メールアドレスを有する前記別端末にて、前記レシート明細データの受信を可能としたことを特徴とするレシート発行管理システム。
【請求項６】
プロセッサと、該プロセッサに所定の処理を実行させるためのプログラムを格納すると共に前記プロセッサが前記プログラムを実行する際に一時記憶としても動作するメモリとを備えたレシート発行管理装置における前記プログラムであって、
前記所定の処理は、
会員個人を表わす個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人の会員証としての個人識別用媒体に書き込む第２のステップと、
前記会員個人が店舗に代金を支払う際に、店舗端末に、前記個人識別用媒体の前記個人識別情報及び前記レシート受け取り方法情報を読み込ませた後に、支払いを行った場合で、しかも、前記店舗端末が読み込んだ前記レシート受け取り方法情報が電子メールでの受信を表わしている場合に、前記店舗端末から送信された、前記支払いの明細を表わすレシート明細データと前記店舗端末が読み込んだ前記個人識別情報とを受信すると、前記レシート明細データを前記個人識別情報に対応させて前記メモリに記憶させる第３のステップとを含み、
前記第１のステップは、前記個人識別情報及び前記レシート受け取り方法情報のみならず、前記会員個人のメールアドレスをも入力され、該メールアドレスを前記個人識別情報に対応させて前記メモリに記憶させるステップであり、
前記所定の処理は、
前記メモリに前記個人識別情報に対応して記憶されている前記レシート明細データを、前記個人識別情報に対応して記憶されているメールアドレスへ送信する第４のステップを、更に含み、
前記メールアドレスを有する別端末にて、前記レシート明細データの受信を可能としたことを特徴とするレシート発行管理装置用プログラム。
【請求項７】
プロセッサと、該プロセッサに所定の処理を実行させるためのプログラムを格納すると共に前記プロセッサが前記プログラムを実行する際に一時記憶としても動作するメモリとを備えたレシート発行管理装置であって、
前記所定の処理は、
会員個人が所有する個人識別用媒体の個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人が利用する店舗に設けられた店舗端末に送信し、該店舗端末に前記個人識別情報及び前記レシート受け取り方法情報を互いに対応させて保持情報として保持させる第２のステップと、
前記会員個人が前記店舗に代金を支払う際に、前記店舗端末に、前記個人識別用媒体の前記個人識別情報を入力させた後に、支払いを行った場合で、しかも、前記店舗端末に入力された前記個人識別用媒体の前記個人識別情報が前記保持情報中の前記個人識別情報に一致し、一致した個人識別情報に対応する前記保持情報中の前記レシート受け取り方法情報がウェブでの閲覧を表わしている場合に、前記店舗端末から送信された、前記支払いの明細を表わすレシート明細データと前記店舗端末に入力された前記個人識別情報とを受信すると、前記メモリに、前記レシート明細データを前記個人識別情報に対応させてウェブサイトとして記憶させる第３のステップとを含み、
別端末にて、前記個人識別情報を用いて前記ウェブサイトにログインすることによって、前記レシート明細データの閲覧を可能としたことを特徴とするレシート発行管理装置。
【請求項８】
店舗に設けられた店舗端末と、該店舗端末に接続されたレシート発行管理装置と、該レシート発行管理装置に接続された別端末とを含むレシート発行管理システムにおいて、
前記レシート発行管理装置は、プロセッサと、該プロセッサに所定の処理を実行させるためのプログラムを格納すると共に前記プロセッサが前記プログラムを実行する際に一時記憶としても動作するメモリとを備え、
前記所定の処理は、
会員個人が所有する個人識別用媒体の個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人が利用する前記店舗に設けられた前記店舗端末に送信し、該店舗端末に前記個人識別情報及び前記レシート受け取り方法情報を互いに対応させて保持情報として保持させる第２のステップと、
前記会員個人が前記店舗に代金を支払う際に、前記店舗端末に、前記個人識別用媒体の前記個人識別情報を入力させた後に、支払いを行った場合で、しかも、前記店舗端末に入力された前記個人識別用媒体の前記個人識別情報が前記保持情報中の前記個人識別情報に一致し、一致した個人識別情報に対応する前記保持情報中の前記レシート受け取り方法情報がウェブでの閲覧を表わしている場合に、前記店舗端末から送信された、前記支払いの明細を表わすレシート明細データと前記店舗端末に入力された前記個人識別情報とを受信すると、前記メモリに、前記レシート明細データを前記個人識別情報に対応させてウェブサイトとして記憶させる第３のステップとを含み、
前記別端末にて、前記個人識別情報を用いて前記ウェブサイトにログインすることによって、前記レシート明細データの閲覧を可能としたことを特徴とするレシート発行管理システム。
【請求項９】
プロセッサと、該プロセッサに所定の処理を実行させるためのプログラムを格納すると共に前記プロセッサが前記プログラムを実行する際に一時記憶としても動作するメモリとを備えたレシート発行管理装置における前記プログラムであって、
前記所定の処理は、
会員個人が所有する個人識別用媒体の個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人が利用する店舗に設けられた店舗端末に送信し、該店舗端末に前記個人識別情報及び前記レシート受け取り方法情報を互いに対応させて保持情報として保持させる第２のステップと、
前記会員個人が前記店舗に代金を支払う際に、前記店舗端末に、前記個人識別用媒体の前記個人識別情報を入力させた後に、支払いを行った場合で、しかも、前記店舗端末に入力された前記個人識別用媒体の前記個人識別情報が前記保持情報中の前記個人識別情報に一致し、一致した個人識別情報に対応する前記保持情報中の前記レシート受け取り方法情報がウェブでの閲覧を表わしている場合に、前記店舗端末から送信された、前記支払いの明細を表わすレシート明細データと前記店舗端末に入力された前記個人識別情報とを受信すると、前記メモリに、前記レシート明細データを前記個人識別情報に対応させてウェブサイトとして記憶させる第３のステップとを含み、
別端末にて、前記個人識別情報を用いて前記ウェブサイトにログインすることによって、前記レシート明細データの閲覧を可能としたことを特徴とするレシート発行管理装置用プログラム。
【請求項１０】
プロセッサと、該プロセッサに所定の処理を実行させるためのプログラムを格納すると共に前記プロセッサが前記プログラムを実行する際に一時記憶としても動作するメモリとを備えたレシート発行管理装置であって、
前記所定の処理は、
会員個人が所有する個人識別用媒体の個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人が利用する店舗に設けられた店舗端末に送信し、該店舗端末に前記個人識別情報及び前記レシート受け取り方法情報を互いに対応させて保持情報として保持させる第２のステップと、
前記会員個人が店舗に代金を支払う際に、前記店舗端末に、前記個人識別用媒体の前記個人識別情報を入力させた後に、支払いを行った場合で、しかも、前記店舗端末に入力された前記個人識別用媒体の前記個人識別情報が前記保持情報中の前記個人識別情報に一致し、一致した個人識別情報に対応する前記保持情報中の前記レシート受け取り方法情報が電子メールでの受信を表わしている場合に、前記店舗端末から送信された、前記支払いの明細を表わすレシート明細データと前記店舗端末に入力された前記個人識別情報とを受信すると、前記メモリに、前記レシート明細データを前記個人識別情報に対応させて記憶させる第３のステップとを含み、
前記第１のステップは、前記個人識別情報及び前記レシート受け取り方法情報のみならず、前記会員個人のメールアドレスをも入力され、該メールアドレスを前記個人識別情報に対応させて前記メモリに記憶させるステップであり、
前記所定の処理は、
前記メモリに前記個人識別情報に対応して記憶されている前記レシート明細データを、前記個人識別情報に対応して記憶されているメールアドレスへ送信する第４のステップを、更に含み、
前記メールアドレスを有する別端末にて、前記レシート明細データの受信を可能としたことを特徴とするレシート発行管理装置。
【請求項１１】
店舗に設けられた店舗端末と、該店舗端末に接続されたレシート発行管理装置と、該レシート発行管理装置に接続された別端末とを含むレシート発行管理システムにおいて、
前記レシート発行管理装置は、プロセッサと、該プロセッサに所定の処理を実行させるためのプログラムを格納すると共に前記プロセッサが前記プログラムを実行する際に一時記憶としても動作するメモリとを備え、
前記所定の処理は、
会員個人が所有する個人識別用媒体の個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人が利用する前記店舗に設けられた前記店舗端末に送信し、該店舗端末に前記個人識別情報及び前記レシート受け取り方法情報を互いに対応させて保持情報として保持させる第２のステップと、
前記会員個人が前記店舗に代金を支払う際に、前記店舗端末に、前記個人識別用媒体の前記個人識別情報を入力させた後に、支払いを行った場合で、しかも、前記店舗端末に入力された前記個人識別用媒体の前記個人識別情報が前記保持情報中の前記個人識別情報に一致し、一致した個人識別情報に対応する前記保持情報中の前記レシート受け取り方法情報が電子メールでの受信を表わしている場合に、前記店舗端末から送信された、前記支払いの明細を表わすレシート明細データと前記店舗端末に入力された前記個人識別情報とを受信すると、前記メモリに、前記レシート明細データを前記個人識別情報に対応させて記憶させる第３のステップとを含み、
前記第１のステップは、前記個人識別情報及び前記レシート受け取り方法情報のみならず、前記会員個人のメールアドレスをも入力され、該メールアドレスを前記個人識別情報に対応させて前記メモリに記憶させるステップであり、
前記所定の処理は、
前記メモリに前記個人識別情報に対応して記憶されている前記レシート明細データを、前記個人識別情報に対応して記憶されているメールアドレスへ送信する第４のステップを、更に含み、
前記メールアドレスを有する前記別端末にて、前記レシート明細データの受信を可能としたことを特徴とするレシート発行管理システム。
【請求項１２】
プロセッサと、該プロセッサに所定の処理を実行させるためのプログラムを格納すると共に前記プロセッサが前記プログラムを実行する際に一時記憶としても動作するメモリとを備えたレシート発行管理装置におえる前記プログラムであって、
前記所定の処理は、
会員個人が所有する個人識別用媒体の個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人が利用する店舗に設けられた店舗端末に送信し、該店舗端末に前記個人識別情報及び前記レシート受け取り方法情報を互いに対応させて保持情報として保持させる第２のステップと、
前記会員個人が店舗に代金を支払う際に、前記店舗端末に、前記個人識別用媒体の前記個人識別情報を入力させた後に、支払いを行った場合で、しかも、前記店舗端末に入力された前記個人識別用媒体の前記個人識別情報が前記保持情報中の前記個人識別情報に一致し、一致した個人識別情報に対応する前記保持情報中の前記レシート受け取り方法情報が電子メールでの受信を表わしている場合に、前記店舗端末から送信された、前記支払いの明細を表わすレシート明細データと前記店舗端末に入力された前記個人識別情報とを受信すると、前記メモリに、前記レシート明細データを前記個人識別情報に対応させて記憶させる第３のステップとを含み、
前記第１のステップは、前記個人識別情報及び前記レシート受け取り方法情報のみならず、前記会員個人のメールアドレスをも入力され、該メールアドレスを前記個人識別情報に対応させて前記メモリに記憶させるステップであり、
前記所定の処理は、
前記メモリに前記個人識別情報に対応して記憶されている前記レシート明細データを、前記個人識別情報に対応して記憶されているメールアドレスへ送信する第４のステップを、更に含み、
前記メールアドレスを有する別端末にて、前記レシート明細データの受信を可能としたことを特徴とするレシート発行管理装置用プログラム。
【発明の詳細な説明】
【技術分野】
【０００１】
本発明は、店舗に支払う代金の領収書であるレシートの発行を管理するレシート発行管理装置に関するものである。本発明は、また、前記レシート発行管理装置を有するレシート発行管理システム及び前記レシート発行管理装置用のプログラムに関するものである。
【背景技術】
【０００２】
従来の店舗でのレシート（領収書）の発行の問題点は、以下の（１）及び（２）のとおりである。
【０００３】
（１）レシートを捨てる人が多いので、レシートとなる紙等の資源の無駄になることが多く、店舗側もレシート不要な客にもレシートを渡すためコスト面で無駄が多い。
【０００４】
（２）レシート発行方法が一通りしか無いため、レシートが欲しい人と不要な人の管理が出来ない。
【０００５】
また、特許文献１には、レシートデータをインターネットを介して開示・提供できる商品販売データ処理システムが開示されている。
【０００６】
特許文献２には、紙のレシートのデータを処理する必要がなく、また、入力操作を行わないで、商品の購買に関連する購買情報を端末手段に呼び出し、購買情報の管理を簡便に行えるようにした購買情報管理システムが示されている。
【０００７】
特許文献３には、インターネットを利用して購入時期と購入額の管理が行える購入履歴管理システムが開示されている。
【特許文献１】特開２０００−３０１５４号公報
【特許文献２】特開２０００−４０１００号公報
【特許文献３】特開２００２−２０３１８１号公報
【発明の開示】
【発明が解決しようとする課題】
【０００８】
本発明の課題は、会員個人を表わす個人識別情報及び該会員個人が指示したレシート受け取り方法情報を、中央のレシート発行管理装置において、記憶すると共に、前記個人識別情報及び前記レシート受け取り方法情報を、中央のレシート発行管理装置において、前記会員個人の会員証としての個人識別用媒体に書き込み、その個人識別用媒体を各店舗で使用するようにすることにより、各店舗端末での面倒なレシート受け取り方法情報の入力を不要にしたレシート発行管理装置、該レシート発行管理装置を有するレシート発行管理システム、及び該レシート発行管理装置用のプログラムを提供することにある。
【０００９】
本発明のもう一つの課題は、会員個人が所有する個人識別用媒体（携帯電話または記録不可の会員カード等）の個人識別情報（携帯電話番号または会員番号等）及び該会員個人が指示したレシート受け取り方法情報を、中央のレシート発行管理装置において、記憶すると共に、前記個人識別情報及び前記レシート受け取り方法情報を、中央のレシート発行管理装置において、前記会員個人が利用する店舗に設けられた店舗端末に送信することにより、各店舗端末での面倒なレシート受け取り方法情報の入力を不要にしたレシート発行管理装置、該レシート発行管理装置を有するレシート発行管理システム、及び該レシート発行管理装置用のプログラムを提供することにある。
【課題を解決するための手段】
【００１０】
本発明によるレシート発行管理装置、本発明によるレシート発行管理システム、及び本発明によるレシート発行管理装置用プログラムは、以下のとおりである。
【００１１】
（１）  プロセッサと、該プロセッサに所定の処理を実行させるためのプログラムを格納すると共に前記プロセッサが前記プログラムを実行する際に一時記憶としても動作するメモリとを備えたレシート発行管理装置であって、
前記所定の処理は、
会員個人を表わす個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人の会員証としての個人識別用媒体に書き込む第２のステップと、
前記会員個人が店舗に代金を支払う際に、店舗端末に、前記個人識別用媒体の前記個人識別情報及び前記レシート受け取り方法情報を読み込ませた後に、支払いを行った場合で、しかも、前記店舗端末が読み込んだ前記レシート受け取り方法情報がウェブでの閲覧を表わしている場合に、前記店舗端末から送信された、前記支払いの明細を表わすレシート明細データと前記店舗端末が読み込んだ前記個人識別情報とを受信すると、前記レシート明細データを前記個人識別情報に対応させて前記メモリにウェブサイトとして記憶させる第３のステップとを含み、
別端末にて、前記個人識別情報を用いて前記ウェブサイトにログインすることによって、前記レシート明細データの閲覧を可能としたことを特徴とするレシート発行管理装置。
【００１２】
（２）  店舗に設けられた店舗端末と、該店舗端末に接続されたレシート発行管理装置と、該レシート発行管理装置に接続された別端末とを含むレシート発行管理システムにおいて、
前記レシート発行管理装置は、プロセッサと、該プロセッサに所定の処理を実行させるためのプログラムを格納すると共に前記プロセッサが前記プログラムを実行する際に一時記憶としても動作するメモリとを備え、
前記所定の処理は、
会員個人を表わす個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人の会員証としての個人識別用媒体に書き込む第２のステップと、
前記会員個人が前記店舗に代金を支払う際に、前記店舗端末に、前記個人識別用媒体の前記個人識別情報及び前記レシート受け取り方法情報を読み込ませた後に、支払いを行った場合で、しかも、前記店舗端末が読み込んだ前記レシート受け取り方法情報がウェブでの閲覧を表わしている場合に、前記店舗端末から送信された、前記支払いの明細を表わすレシート明細データと前記店舗端末が読み込んだ前記個人識別情報とを受信すると、前記レシート明細データを前記個人識別情報に対応させて前記メモリにウェブサイトとして記憶させる第３のステップとを含み、
前記別端末にて、前記個人識別情報を用いて前記ウェブサイトにログインすることによって、前記レシート明細データの閲覧を可能としたことを特徴とするレシート発行管理システム。
【００１３】
（３）  プロセッサと、該プロセッサに所定の処理を実行させるためのプログラムを格納すると共に前記プロセッサが前記プログラムを実行する際に一時記憶としても動作するメモリとを備えたレシート発行管理装置における前記プログラムであって、
前記所定の処理は、
会員個人を表わす個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人の会員証としての個人識別用媒体に書き込む第２のステップと、
前記会員個人が店舗に代金を支払う際に、店舗端末に、前記個人識別用媒体の前記個人識別情報及び前記レシート受け取り方法情報を読み込ませた後に、支払いを行った場合で、しかも、前記店舗端末が読み込んだ前記レシート受け取り方法情報がウェブでの閲覧を表わしている場合に、前記店舗端末から送信された、前記支払いの明細を表わすレシート明細データと前記店舗端末が読み込んだ前記個人識別情報とを受信すると、前記レシート明細データを前記個人識別情報に対応させて前記メモリにウェブサイトとして記憶させる第３のステップとを含み、
別端末にて、前記個人識別情報を用いて前記ウェブサイトにログインすることによって、前記レシート明細データの閲覧を可能としたことを特徴とするレシート発行管理装置用プログラム。
【００１４】
（４）  プロセッサと、該プロセッサに所定の処理を実行させるためのプログラムを格納すると共に前記プロセッサが前記プログラムを実行する際に一時記憶としても動作するメモリとを備えたレシート発行管理装置であって、
前記所定の処理は、
会員個人を表わす個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人の会員証としての個人識別用媒体に書き込む第２のステップと、
前記会員個人が店舗に代金を支払う際に、店舗端末に、前記個人識別用媒体の前記個人識別情報及び前記レシート受け取り方法情報を読み込ませた後に、支払いを行った場合で、しかも、前記店舗端末が読み込んだ前記レシート受け取り方法情報が電子メールでの受信を表わしている場合に、前記店舗端末から送信された、前記支払いの明細を表わすレシート明細データと前記店舗端末が読み込んだ前記個人識別情報とを受信すると、前記レシート明細データを前記個人識別情報に対応させて前記メモリに記憶させる第３のステップとを含み、
前記第１のステップは、前記個人識別情報及び前記レシート受け取り方法情報のみならず、前記会員個人のメールアドレスをも入力され、該メールアドレスを前記個人識別情報に対応させて前記メモリに記憶させるステップであり、
前記所定の処理は、
前記メモリに前記個人識別情報に対応して記憶されている前記レシート明細データを、前記個人識別情報に対応して記憶されているメールアドレスへ送信する第４のステップを、更に含み、
前記メールアドレスを有する別端末にて、前記レシート明細データの受信を可能としたことを特徴とするレシート発行管理装置。
【００１５】
（５）  店舗に設けられた店舗端末と、該店舗端末に接続されたレシート発行管理装置と、該レシート発行管理装置に接続された別端末とを含むレシート発行管理システムにおいて、
前記レシート発行管理装置は、プロセッサと、該プロセッサに所定の処理を実行させるためのプログラムを格納すると共に前記プロセッサが前記プログラムを実行する際に一時記憶としても動作するメモリとを備え、
前記所定の処理は、
会員個人を表わす個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人の会員証としての個人識別用媒体に書き込む第２のステップと、
前記会員個人が前記店舗に代金を支払う際に、前記店舗端末に、前記個人識別用媒体の前記個人識別情報及び前記レシート受け取り方法情報を読み込ませた後に、支払いを行った場合で、しかも、前記店舗端末が読み込んだ前記レシート受け取り方法情報が電子メールでの受信を表わしている場合に、前記店舗端末から送信された、前記支払いの明細を表わすレシート明細データと前記店舗端末が読み込んだ前記個人識別情報とを受信すると、前記レシート明細データを前記個人識別情報に対応させて前記メモリに記憶させる第３のステップとを含み、
前記第１のステップは、前記個人識別情報及び前記レシート受け取り方法情報のみならず、前記会員個人のメールアドレスをも入力され、該メールアドレスを前記個人識別情報に対応させて前記メモリに記憶させるステップであり、
前記所定の処理は、
前記メモリに前記個人識別情報に対応して記憶されている前記レシート明細データを、前記個人識別情報に対応して記憶されているメールアドレスへ送信する第４のステップを、更に含み、
前記メールアドレスを有する前記別端末にて、前記レシート明細データの受信を可能としたことを特徴とするレシート発行管理システム。
【００１６】
（６）  プロセッサと、該プロセッサに所定の処理を実行させるためのプログラムを格納すると共に前記プロセッサが前記プログラムを実行する際に一時記憶としても動作するメモリとを備えたレシート発行管理装置における前記プログラムであって、
前記所定の処理は、
会員個人を表わす個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人の会員証としての個人識別用媒体に書き込む第２のステップと、
前記会員個人が店舗に代金を支払う際に、店舗端末に、前記個人識別用媒体の前記個人識別情報及び前記レシート受け取り方法情報を読み込ませた後に、支払いを行った場合で、しかも、前記店舗端末が読み込んだ前記レシート受け取り方法情報が電子メールでの受信を表わしている場合に、前記店舗端末から送信された、前記支払いの明細を表わすレシート明細データと前記店舗端末が読み込んだ前記個人識別情報とを受信すると、前記レシート明細データを前記個人識別情報に対応させて前記メモリに記憶させる第３のステップとを含み、
前記第１のステップは、前記個人識別情報及び前記レシート受け取り方法情報のみならず、前記会員個人のメールアドレスをも入力され、該メールアドレスを前記個人識別情報に対応させて前記メモリに記憶させるステップであり、
前記所定の処理は、
前記メモリに前記個人識別情報に対応して記憶されている前記レシート明細データを、前記個人識別情報に対応して記憶されているメールアドレスへ送信する第４のステップを、更に含み、
前記メールアドレスを有する別端末にて、前記レシート明細データの受信を可能としたことを特徴とするレシート発行管理装置用プログラム。
【００１７】
（７）  プロセッサと、該プロセッサに所定の処理を実行させるためのプログラムを格納すると共に前記プロセッサが前記プログラムを実行する際に一時記憶としても動作するメモリとを備えたレシート発行管理装置であって、
前記所定の処理は、
会員個人が所有する個人識別用媒体の個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人が利用する店舗に設けられた店舗端末に送信し、該店舗端末に前記個人識別情報及び前記レシート受け取り方法情報を互いに対応させて保持情報として保持させる第２のステップと、
前記会員個人が前記店舗に代金を支払う際に、前記店舗端末に、前記個人識別用媒体の前記個人識別情報を入力させた後に、支払いを行った場合で、しかも、前記店舗端末に入力された前記個人識別用媒体の前記個人識別情報が前記保持情報中の前記個人識別情報に一致し、一致した個人識別情報に対応する前記保持情報中の前記レシート受け取り方法情報がウェブでの閲覧を表わしている場合に、前記店舗端末から送信された、前記支払いの明細を表わすレシート明細データと前記店舗端末に入力された前記個人識別情報とを受信すると、前記メモリに、前記レシート明細データを前記個人識別情報に対応させてウェブサイトとして記憶させる第３のステップとを含み、
別端末にて、前記個人識別情報を用いて前記ウェブサイトにログインすることによって、前記レシート明細データの閲覧を可能としたことを特徴とするレシート発行管理装置。
【００１８】
（８）  店舗に設けられた店舗端末と、該店舗端末に接続されたレシート発行管理装置と、該レシート発行管理装置に接続された別端末とを含むレシート発行管理システムにおいて、
前記レシート発行管理装置は、プロセッサと、該プロセッサに所定の処理を実行させるためのプログラムを格納すると共に前記プロセッサが前記プログラムを実行する際に一時記憶としても動作するメモリとを備え、
前記所定の処理は、
会員個人が所有する個人識別用媒体の個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人が利用する前記店舗に設けられた前記店舗端末に送信し、該店舗端末に前記個人識別情報及び前記レシート受け取り方法情報を互いに対応させて保持情報として保持させる第２のステップと、
前記会員個人が前記店舗に代金を支払う際に、前記店舗端末に、前記個人識別用媒体の前記個人識別情報を入力させた後に、支払いを行った場合で、しかも、前記店舗端末に入力された前記個人識別用媒体の前記個人識別情報が前記保持情報中の前記個人識別情報に一致し、一致した個人識別情報に対応する前記保持情報中の前記レシート受け取り方法情報がウェブでの閲覧を表わしている場合に、前記店舗端末から送信された、前記支払いの明細を表わすレシート明細データと前記店舗端末に入力された前記個人識別情報とを受信すると、前記メモリに、前記レシート明細データを前記個人識別情報に対応させてウェブサイトとして記憶させる第３のステップとを含み、
前記別端末にて、前記個人識別情報を用いて前記ウェブサイトにログインすることによって、前記レシート明細データの閲覧を可能としたことを特徴とするレシート発行管理システム。
【００１９】
（９）  プロセッサと、該プロセッサに所定の処理を実行させるためのプログラムを格納すると共に前記プロセッサが前記プログラムを実行する際に一時記憶としても動作するメモリとを備えたレシート発行管理装置における前記プログラムであって、
前記所定の処理は、
会員個人が所有する個人識別用媒体の個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人が利用する店舗に設けられた店舗端末に送信し、該店舗端末に前記個人識別情報及び前記レシート受け取り方法情報を互いに対応させて保持情報として保持させる第２のステップと、
前記会員個人が前記店舗に代金を支払う際に、前記店舗端末に、前記個人識別用媒体の前記個人識別情報を入力させた後に、支払いを行った場合で、しかも、前記店舗端末に入力された前記個人識別用媒体の前記個人識別情報が前記保持情報中の前記個人識別情報に一致し、一致した個人識別情報に対応する前記保持情報中の前記レシート受け取り方法情報がウェブでの閲覧を表わしている場合に、前記店舗端末から送信された、前記支払いの明細を表わすレシート明細データと前記店舗端末に入力された前記個人識別情報とを受信すると、前記メモリに、前記レシート明細データを前記個人識別情報に対応させてウェブサイトとして記憶させる第３のステップとを含み、
別端末にて、前記個人識別情報を用いて前記ウェブサイトにログインすることによって、前記レシート明細データの閲覧を可能としたことを特徴とするレシート発行管理装置用プログラム。
【００２０】
（１０）  プロセッサと、該プロセッサに所定の処理を実行させるためのプログラムを格納すると共に前記プロセッサが前記プログラムを実行する際に一時記憶としても動作するメモリとを備えたレシート発行管理装置であって、
前記所定の処理は、
会員個人が所有する個人識別用媒体の個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人が利用する店舗に設けられた店舗端末に送信し、該店舗端末に前記個人識別情報及び前記レシート受け取り方法情報を互いに対応させて保持情報として保持させる第２のステップと、
前記会員個人が店舗に代金を支払う際に、前記店舗端末に、前記個人識別用媒体の前記個人識別情報を入力させた後に、支払いを行った場合で、しかも、前記店舗端末に入力された前記個人識別用媒体の前記個人識別情報が前記保持情報中の前記個人識別情報に一致し、一致した個人識別情報に対応する前記保持情報中の前記レシート受け取り方法情報が電子メールでの受信を表わしている場合に、前記店舗端末から送信された、前記支払いの明細を表わすレシート明細データと前記店舗端末に入力された前記個人識別情報とを受信すると、前記メモリに、前記レシート明細データを前記個人識別情報に対応させて記憶させる第３のステップとを含み、
前記第１のステップは、前記個人識別情報及び前記レシート受け取り方法情報のみならず、前記会員個人のメールアドレスをも入力され、該メールアドレスを前記個人識別情報に対応させて前記メモリに記憶させるステップであり、
前記所定の処理は、
前記メモリに前記個人識別情報に対応して記憶されている前記レシート明細データを、前記個人識別情報に対応して記憶されているメールアドレスへ送信する第４のステップを、更に含み、
前記メールアドレスを有する別端末にて、前記レシート明細データの受信を可能としたことを特徴とするレシート発行管理装置。
【００２１】
（１１）  店舗に設けられた店舗端末と、該店舗端末に接続されたレシート発行管理装置と、該レシート発行管理装置に接続された別端末とを含むレシート発行管理システムにおいて、
前記レシート発行管理装置は、プロセッサと、該プロセッサに所定の処理を実行させるためのプログラムを格納すると共に前記プロセッサが前記プログラムを実行する際に一時記憶としても動作するメモリとを備え、
前記所定の処理は、
会員個人が所有する個人識別用媒体の個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人が利用する前記店舗に設けられた前記店舗端末に送信し、該店舗端末に前記個人識別情報及び前記レシート受け取り方法情報を互いに対応させて保持情報として保持させる第２のステップと、
前記会員個人が前記店舗に代金を支払う際に、前記店舗端末に、前記個人識別用媒体の前記個人識別情報を入力させた後に、支払いを行った場合で、しかも、前記店舗端末に入力された前記個人識別用媒体の前記個人識別情報が前記保持情報中の前記個人識別情報に一致し、一致した個人識別情報に対応する前記保持情報中の前記レシート受け取り方法情報が電子メールでの受信を表わしている場合に、前記店舗端末から送信された、前記支払いの明細を表わすレシート明細データと前記店舗端末に入力された前記個人識別情報とを受信すると、前記メモリに、前記レシート明細データを前記個人識別情報に対応させて記憶させる第３のステップとを含み、
前記第１のステップは、前記個人識別情報及び前記レシート受け取り方法情報のみならず、前記会員個人のメールアドレスをも入力され、該メールアドレスを前記個人識別情報に対応させて前記メモリに記憶させるステップであり、
前記所定の処理は、
前記メモリに前記個人識別情報に対応して記憶されている前記レシート明細データを、前記個人識別情報に対応して記憶されているメールアドレスへ送信する第４のステップを、更に含み、
前記メールアドレスを有する前記別端末にて、前記レシート明細データの受信を可能としたことを特徴とするレシート発行管理システム。
【００２２】
（１２）  プロセッサと、該プロセッサに所定の処理を実行させるためのプログラムを格納すると共に前記プロセッサが前記プログラムを実行する際に一時記憶としても動作するメモリとを備えたレシート発行管理装置におえる前記プログラムであって、
前記所定の処理は、
会員個人が所有する個人識別用媒体の個人識別情報及び該会員個人が指示したレシート受け取り方法情報を入力され、前記個人識別情報及び前記レシート受け取り方法情報を互いに対応させて前記メモリに記憶させる第１のステップと、
前記個人識別情報及び前記レシート受け取り方法情報を、前記会員個人が利用する店舗に設けられた店舗端末に送信し、該店舗端末に前記個人識別情報及び前記レシート受け取り方法情報を互いに対応させて保持情報として保持させる第２のステップと、
前記会員個人が店舗に代金を支払う際に、前記店舗端末に、前記個人識別用媒体の前記個人識別情報を入力させた後に、支払いを行った場合で、しかも、前記店舗端末に入力された前記個人識別用媒体の前記個人識別情報が前記保持情報中の前記個人識別情報に一致し、一致した個人識別情報に対応する前記保持情報中の前記レシート受け取り方法情報が電子メールでの受信を表わしている場合に、前記店舗端末から送信された、前記支払いの明細を表わすレシート明細データと前記店舗端末に入力された前記個人識別情報とを受信すると、前記メモリに、前記レシート明細データを前記個人識別情報に対応させて記憶させる第３のステップとを含み、
前記第１のステップは、前記個人識別情報及び前記レシート受け取り方法情報のみならず、前記会員個人のメールアドレスをも入力され、該メールアドレスを前記個人識別情報に対応させて前記メモリに記憶させるステップであり、
前記所定の処理は、
前記メモリに前記個人識別情報に対応して記憶されている前記レシート明細データを、前記個人識別情報に対応して記憶されているメールアドレスへ送信する第４のステップを、更に含み、
前記メールアドレスを有する別端末にて、前記レシート明細データの受信を可能としたことを特徴とするレシート発行管理装置用プログラム。
【発明の効果】
【００２３】
本発明によれば、会員個人を表わす個人識別情報及び該会員個人が指示したレシート受け取り方法情報を、中央のレシート発行管理装置において、記憶すると共に、前記個人識別情報及び前記レシート受け取り方法情報を、中央のレシート発行管理装置において、前記会員個人の会員証としての個人識別用媒体に書き込み、その個人識別用媒体を各店舗で使用するようにすることにより、各店舗端末での面倒なレシート受け取り方法情報の入力を不要にしたレシート発行管理装置、該レシート発行管理装置を有するレシート発行管理システム、及び該レシート発行管理装置用のプログラムを得ることができる。
【００２４】
更に本発明によれば、会員個人が所有する個人識別用媒体（携帯電話または記録不可の会員カード等）の個人識別情報（携帯電話番号または会員番号等）及び該会員個人が指示したレシート受け取り方法情報を、中央のレシート発行管理装置において、記憶すると共に、前記個人識別情報及び前記レシート受け取り方法情報を、中央のレシート発行管理装置において、前記会員個人が利用する店舗に設けられた店舗端末に送信することにより、各店舗端末での面倒なレシート受け取り方法情報の入力を不要にしたレシート発行管理装置、該レシート発行管理装置を有するレシート発行管理システム、及び該レシート発行管理装置用のプログラムを得ることができる。
【発明を実施するための最良の形態】
【００２５】
次に本発明の実施例について図面を参照して説明する。
【００２６】
［第１の実施例の骨子］
図１を参照すると、本発明の第１の実施例によるレシート発行管理システムは、店舗に設けられたコンピュータ端末である店舗端末２００と、店舗端末２００にネットワーク１００を介して接続された管理センター端末（レシート発行管理装置）２０と、管理センター端末（レシート発行管理装置）２０にネットワーク１００を介して接続されたコンピュータ端末であるユーザー端末（別端末）５０とを含む。店舗端末２００は、管理センター端末（レシート発行管理装置）２０がネットワーク１００を介して接続される店舗サーバー３０と、店舗サーバー３０に接続されるＰＯＳ(point of sales)端末４０とを有する。
【００２７】
本レシート発行管理システムは、管理センター端末（レシート発行管理装置）２０にネットワーク１００を介して接続されたコンピュータ端末であるＷＥＢ端末１０を更に含む。
【００２８】
図２を参照すると、管理センター端末（レシート発行管理装置）２０は、プロセッサ１と、プロセッサ１に所定の処理を実行させるためのプログラム（レシート発行管理装置用プログラム）５を格納すると共にプロセッサ１がプログラム５を実行する際に一時記憶としても動作するメモリ２とを備えたコンピュータ端末である。管理センター端末（レシート発行管理装置）２０は、更に、キー入力部４と、店舗端末２００及びユーザー端末（別端末）５０とネットワーク１００を介して通信するための通信手段３とを備えている。また、管理センター端末（レシート発行管理装置）２０は、プロセッサ１により制御される、例えば液晶ディスプレイからなる表示部（図示せず）も備えている。
【００２９】
プロセッサ１は、メモリ２に格納されたプログラム（レシート発行管理装置用プログラム）５に従って、以下のステップを前記所定の処理として実行する。
【００３０】
すなわち、図２に図１をも加えて参照して、プロセッサ１は、図１のように個人識別用媒体６０の記憶内容を店舗端末２００（ＰＯＳ端末４０）に読み込ませる前に、会員個人を表わす個人識別情報及び該会員個人が指示したレシート受け取り方法情報を、前記会員個人の会員証としての個人識別用媒体６０に書き込む処理をする。
【００３１】
すなわち、プロセッサ１は、会員個人を表わす個人識別情報及び該会員個人が指示したレシート受け取り方法情報を、ＷＥＢ端末１０からネットワーク１００を介して入力され、前記個人識別情報及び前記レシート受け取り方法情報を互いに対応させてメモリ２に記憶させる第１のステップを実行する。
【００３２】
また、プロセッサ１は、前記個人識別情報及び前記レシート受け取り方法情報を、前記会員個人の会員証としての個人識別用媒体６０に書き込む第２のステップを実行する。
【００３３】
このようにして個人識別用媒体６０に前記個人識別情報及び前記レシート受け取り方法情報が書き込まれた後に、個人識別用媒体６０は、前記会員個人に会員証として郵送または店舗にて渡される。
【００３４】
更に、プロセッサ１は、前記会員個人が、店舗にて例えば買い物をし、前記店舗に代金を支払う際に、店舗端末２００（ＰＯＳ端末４０）に、個人識別用媒体６０の前記個人識別情報及び前記レシート受け取り方法情報を読み込ませた後に、支払いを行った場合で、しかも、店舗端末２００（ＰＯＳ端末４０）が読み込んだ前記レシート受け取り方法情報がウェブでの閲覧を表わしている場合に、店舗端末２００から送信された、前記支払いの明細を表わすレシート明細データと店舗端末２００が読み込んだ前記個人識別情報とを受信すると、前記レシート明細データを前記個人識別情報に対応させてメモリ２にウェブサイトとして記憶させる第３のステップを実行する。
【００３５】
これにより、ユーザー端末（別端末）５０にて、前記個人識別情報を用いて前記ウェブサイトにログインすることによって、前記レシート明細データの閲覧が可能となる。
【００３６】
代りに、プロセッサ１は、前記会員個人が店舗に代金を支払う際に、店舗端末２００（ＰＯＳ端末４０）に、個人識別用媒体６０の前記個人識別情報及び前記レシート受け取り方法情報を読み込ませた後に、支払いを行った場合で、しかも、店舗端末２００（ＰＯＳ端末４０）が読み込んだ前記レシート受け取り方法情報が電子メールでの受信を表わしている場合に、店舗端末２００（ＰＯＳ端末４０）から送信された、前記支払いの明細を表わすレシート明細データと店舗端末２００（ＰＯＳ端末４０）が読み込んだ前記個人識別情報とを受信すると、前記レシート明細データを前記個人識別情報に対応させてメモリ２に記憶させるステップを、第３のステップとして、実行する。
【００３７】
この場合、プロセッサ１は、前記第１のステップとして、前記個人識別情報及び前記レシート受け取り方法情報のみならず、前記会員個人のメールアドレスをも入力され、該メールアドレスを前記個人識別情報に対応させてメモリ２に記憶させるステップを実行している。そして、プロセッサ１は、メモリ２に前記個人識別情報に対応して記憶されている前記レシート明細データを、前記個人識別情報に対応して記憶されているメールアドレスへ送信する第４のステップを、更に実行する。
【００３８】
これにより、前記メールアドレスを有するユーザー端末（別端末）５０にて、前記レシート明細データの受信が可能となる。
【００３９】
［第１の実施例の詳細な構成］
第１の実施例は、個人識別用媒体６０が記録媒体である場合の例である。具体的には、個人識別用媒体６０とは、ポイントカード、ＩＣカード等の記録が出来る媒体である。
【００４０】
図１において、店舗で使用するための個人識別用媒体６０を申請する際に、ウェブ（ＷＥＢ）が使用できるＷＥＢ端末１０を用いて個人を識別するための個人識別情報とともにレシートの受け取り方法の情報の登録を行う。登録した内容はネットワーク１００を介して管理センター端末２０へ送出される。店舗側は、管理センター端末２０で受け取った情報の中から個人特定に必要な個人識別情報とレシート受け取り方法情報を、個人識別用媒体６０に書き込み後、申請した顧客に郵送または店舗にて渡す。顧客は店舗にて買い物をし、代金を支払う際ＰＯＳ端末４０にて個人識別用媒体６０のデータを読み込ませた後に支払いを行う。清算後、個人識別用媒体６０に記憶されているレシート受け取り方法でレシートを受け取ることが出来る。
【００４１】
以下、図１を参照して、第１の実施例の構成について、より詳細に説明する。
【００４２】
ＷＥＢ端末１０はパーソナルコンピュータ等の情報処理装置である。ＷＥＢ端末１０は個人識別情報を登録し、ネットワーク１００を介して管理センター端末２０へ送出する機能を備えている。個人識別情報とは顧客１人１人を識別するための情報であり、例えば氏名、住所、電話番号、パスワード等の情報である。本個人識別情報にはレシート受け取り方法指定情報も含む。
【００４３】
本手順は新規でインターネット等を通じて個人識別用媒体６０の発行申請をする場合を想定しており、ここでの個人識別情報は一般のポイントカード等発行時に必要な情報であり、カード発行処理の中でレシートの受け取り方法指定情報を追加するのみで通常のカード発行処理となんら変わらない。また、同様の手順は、店舗での登録申し込み用紙記入やハガキなどでも可能であるためＷＥＢ端末１０は本発明における必須条件ではない。また、店舗に設置される端末により発行される等の場合も本発明の範囲に含む。店舗で申請し、店舗で個人識別用媒体６０を受け取ることが出来るような場合は、店舗側に個人識別用媒体６０のデータ書き込み用機器を設置し、申請された情報の中から個人特定用のデータとレシート受け取り方法指定情報を、個人識別用媒体６０に書き込み後、申請した顧客に郵送または店舗にて渡す。
【００４４】
管理センター端末２０はワークステーション・サーバー等の情報処理装置によって構成される。
【００４５】
管理センター端末２０は顧客がＷＥＢ端末１０で登録した情報を受け取り保管、管理する機能を有する。
【００４６】
顧客がＷＥＢでの閲覧またはメールでの受け取りを指定した場合に指定の方法に従いレシートデータを加工し、ＷＥＢサイトへのデータ更新およびユーザ端末５０へメール配信する機能を有する。店舗側にてデータ加工される場合には、管理センター端末２０にデータ加工の機能は不要である。
【００４７】
店舗サーバー３０はワークステーション・サーバー等の情報処理装置によって構成される。
【００４８】
店舗サーバー３０は店舗にある複数のＰＯＳ端末４０と接続されており、顧客がＷＥＢまたはメールでの受け取りを指定した場合にＰＯＳ端末４０からレシートに記載する情報を受け取り、ネットワーク１００を介し管理センター端末２０にデータを送出する機能を有している。
【００４９】
尚、実施例では中大規模店を想定しているが、小規模店の場合はＰＯＳ端末４０が店舗サーバー機能を兼用可能である。
【００５０】
ＰＯＳ端末４０は店舗にあるＰＯＳターミナル装置である。ＰＯＳ端末４０には個人識別用媒体６０に記録された情報を読み取る機器（カードリーダ等）が接続されている。ＰＯＳ端末４０は個人用媒体６０から読み取った個人特定用情報（会員番号、氏名等）とレシート受け取り方法指定情報に従いレシート発行処理を行う。レシート受け取り方法指定情報が、ＷＥＢサイトにて明細を閲覧またはレシート明細を電子メール等で受信を指定されている場合は、個人特定用情報とともにレシートに記載する情報を店舗サーバー３０にレシート明細データとして送出する。レシート受け取り方法指定情報が、従来同様紙での発行を指定の場合はレシートを発行する。また、受け取り方法指定情報が、レシート不要の場合はレシートを発行せずまたデータ送信も行わない。
【００５１】
ユーザ端末５０はパーソナルコンピュータ等の情報処理装置である。ユーザ端末５０はＷＥＢサイトにて明細を閲覧またはレシート明細を電子メール等で受信するためのパーソナルコンピュータ等の情報処理装置である。ユーザ端末５０は携帯電話またはＰＤＡ(Personal Digital Assistant)等も含む。
【００５２】
個人識別用媒体６０は顧客の識別を行うために用いる媒体である。本実施例の場合はポイントカードまたはＩＣカードである。
【００５３】
［第１の実施例の動作］
次に、図１に加えて図３をも参照して、第１の実施例の動作について説明する。以降の説明ではネットワーク１００はインターネットであるとする。
【００５４】
図３を参照すると、顧客はＷＥＢ端末１０（店舗または個人が所有している端末）を使用して個人を識別するための個人識別情報を登録する（ステップＡ１）。本実施例の個人識別情報とは、住所、氏名、電話番号、メールアドレス等の基本情報およびパスワード等のセキュリティ情報およびレシート受け取り方法指定情報等である。
【００５５】
レシート受け取り方法の例としては、以下の例がある。
【００５６】
まず、第一の方法として、ＷＥＢサイトでの閲覧の選択がある。これは、店舗からレシート明細データを受信し、ＷＥＢサイトで見られるようにする方法で、個人の会員番号等とパスワードでログインし常に安全に過去から現在までのデータを参照できる。表示レイアウトおよび検索、並べ変え機能や印刷方法については一般のネット銀行等のＷＥＢサイトにて既に実現可能である。また、ＷＥＢ上からMicrosoft Money等の家計簿ソフト形式へのファイル変換機能も可能である。
【００５７】
第二の方法として、電子メールでの受信の選択がある。これは、店舗からのレシート明細データを電子メールにて受信するもので、あらかじめメールアドレスを登録しているため容易に実現可能である。また、電子メールでの受信の場合には、更に選択肢があり受け取るフォーマットを指定できる。例えばMicrosoft Money等の家計簿ソフト形式でのデータ受信等も選択できるようにする。
【００５８】
第三の方法として、従来通りの紙でのレシート発行の選択がある。これは従来通りレシート発行を行い、明細の電子データ送信は行わない。最後の方法として、レシート不要の選択がある。この場合、紙でのレシート発行も明細の電子データ送信も行わない。
【００５９】
ＷＥＢ端末１０で登録した個人識別情報はインターネットを介して管理センター端末２０へ送出される（ステップＡ２）。管理センター端末２０で受け取ったデータを元に店舗側は個人特定用のデータとレシート受け取り方法指定情報を個人識別用媒体６０に書き込み後（ステップＡ３）に申請した顧客に郵送または店舗にて渡す（ステップＡ４）と同時に管理センター端末２０内で個人識別情報を管理する（ステップＡ５）。
【００６０】
管理された個人識別情報は、いつでも申請時に登録したパスワードによりＷＥＢ端末１０またはユーザ端末５０から閲覧できるようになっており、個人識別情報およびレシート受け取り方法とも随時変更可能となっている。
【００６１】
顧客は店舗で買い物時の支払いをする際、個人識別用媒体６０を提示しＰＯＳ端末４０に接続されるカードリーダ等にて個人識別用媒体６０に記録された個人特定用情報（会員番号、氏名等）とレシート受け取り方法指定情報を読み取った後に清算を行う(ステップＡ６)。この行為は一般的なポイントカードや会員カードの処理等で実現されている。また、このステップにおいてあらためてパスワードを提示または入力する必要は無い。ここでのパスワード提示、入力の省略は手順を簡単にするが、同時に紛失時の悪用が懸念される。しかしながら、該個人識別用媒体６０を他人が使用してもＷＥＢサイトでの閲覧は事前登録したパスワードが必要になるし、メールでの受信は事前登録した電子メールアドレス、すなわち元々の所有者に送信されるため、問題は発生しない。
【００６２】
ＰＯＳ端末４０は個人識別用媒体６０から読み込んだレシート受け取り方法指定情報を解析する（ステップＡ７）。
【００６３】
従来通りの紙でのレシート発行の指示だった場合は、ＰＯＳ端末４０は従来通りレシート発行を行い、明細の電子データ送信は行わずに処理を完了する（ステップＡ８）。
【００６４】
また、レシート不要の指示の場合、ＰＯＳ端末４０は紙でのレシート発行も明細の電子データ送信も行わずに処理を完了する(ステップＡ９)。
【００６５】
また、ＷＥＢサイトでの閲覧または電子メールでの受信の指示の場合は、ＰＯＳ端末４０はレシート明細データを個人特定用情報(会員番号、氏名等)とともに店舗サーバー３０を経由して管理センター端末２０へ送信する(ステップＡ１０)。個人特定用情報には、ＷＥＢでの閲覧かメールでの受信、また受け取り形式の指定方法等を含む。
【００６６】
管理センター端末２０は、個人特定用情報に含まれるレシート受け取り方法指定情報を解析する（ステップＡ１１）。
【００６７】
ＷＥＢサイトでの閲覧を指示の場合には、レシート明細データを、ＷＥＢに登録できる形態に加工・生成し、ＷＥＢサイトの各顧客用に確保されたエリアに管理センター端末２０により登録される（ステップＡ１２）。各顧客はユーザ端末５０にてＷＥＢサイトにあらかじめ登録してあったパスワードにてログインし明細を閲覧する（ステップＡ１３）。
【００６８】
電子メールでの受信の指示の場合は、管理センター端末２０にてレシート明細データを各顧客の指定する形態に加工した後、あらかじめ登録されてあるメールアドレスへ送信する(ステップＡ１４)。
【００６９】
各顧客はユーザ端末５０にてメール受信し、レシート明細データを受け取る（ステップＡ１５）。
【００７０】
［第２の実施例の骨子］
図４を参照すると、本発明の第２の実施例によるレシート発行管理システムは、店舗に設けられたコンピュータ端末である店舗端末２００と、店舗端末２００にネットワーク１００を介して接続された管理センター端末（レシート発行管理装置）２０’と、管理センター端末（レシート発行管理装置）２０’にネットワーク１００を介して接続されたコンピュータ端末であるユーザー端末（別端末）５０とを含む。店舗端末２００は、管理センター端末（レシート発行管理装置）２０’がネットワーク１００を介して接続される店舗サーバー３０と、店舗サーバー３０に接続されるＰＯＳ(point of sales)端末４０とを有する。
【００７１】
本レシート発行管理システムは、管理センター端末（レシート発行管理装置）２０’にネットワーク１００を介して接続されたコンピュータ端末であるＷＥＢ端末１０を更に含む。
【００７２】
第２の実施例では、個人識別用媒体６０’は、記録不可の携帯電話である。個人識別用媒体６０’は、記録不可の会員カード等であっても良い。
【００７３】
図５を参照すると、管理センター端末（レシート発行管理装置）２０’は、プロセッサ１と、プロセッサ１に所定の処理を実行させるためのプログラム（レシート発行管理装置用プログラム）５’を格納すると共にプロセッサ１がプログラム５’を実行する際に一時記憶としても動作するメモリ２とを備えたコンピュータ端末である。管理センター端末（レシート発行管理装置）２０’は、更に、キー入力部４と、店舗端末２００及びユーザー端末（別端末）５０とネットワーク１００を介して通信するための通信手段３とを備えている。また、管理センター端末（レシート発行管理装置）２０’は、プロセッサ１により制御される、例えば液晶ディスプレイからなる表示部（図示せず）も備えている。
【００７４】
プロセッサ１は、メモリ２に格納されたプログラム（レシート発行管理装置用プログラム）５’に従って、以下のステップを前記所定の処理として実行する。
【００７５】
すなわち、図４に図５をも加えて参照して、プロセッサ１は、図５のように個人識別用媒体６０’（携帯電話）の個人識別情報（電話番号）を店舗端末２００（ＰＯＳ端末４０）に入力させる前に、以下の処理をする。なお、個人識別用媒体６０’（携帯電話）の個人識別情報（電話番号）の店舗端末２００（ＰＯＳ端末４０）への入力は、例えば、当該携帯電話で店舗端末２００への電話することによって送信元の電話番号が店舗端末２００（ＰＯＳ端末４０）に入力されることによって行われる。
【００７６】
すなわち、プロセッサ１は、会員個人が所有する個人識別用媒体６０’（携帯電話）の個人識別情報（電話番号）及び該会員個人が指示したレシート受け取り方法情報を、ＷＥＢ端末１０からネットワーク１００を介して入力され、前記個人識別情報及び前記レシート受け取り方法情報を互いに対応させてメモリ２に記憶させる第１のステップを実行する。
【００７７】
また、プロセッサ１は、前記個人識別情報及び前記レシート受け取り方法情報を、前記会員個人が利用する前記店舗に設けられた店舗端末２００（ＰＯＳ端末４０）に送信し、該店舗端末２００（ＰＯＳ端末４０）に前記個人識別情報及び前記レシート受け取り方法情報を互いに対応させて保持情報として保持させる第２のステップを実行する。
【００７８】
更に、プロセッサ１は、前記会員個人が、店舗にて例えば買い物をし、前記店舗に代金を支払う際に、店舗端末２００（ＰＯＳ端末４０）に、個人識別用媒体６０’（携帯電話）の個人識別情報（電話番号）を入力させた後に、支払いを行った場合で、しかも、店舗端末２００（ＰＯＳ端末４０）に入力された個人識別用媒体６０’（携帯電話）の個人識別情報（電話番号）が前記保持情報中の前記個人識別情報に一致し、一致した個人識別情報に対応する前記保持情報中の前記レシート受け取り方法情報がウェブでの閲覧を表わしている場合に、店舗端末２００から送信された、前記支払いの明細を表わすレシート明細データと店舗端末２００に入力された前記個人識別情報とを受信すると、前記レシート明細データを前記個人識別情報に対応させてメモリ２にウェブサイトとして記憶させる第３のステップを実行する。
【００７９】
これにより、ユーザー端末（別端末）５０にて、前記個人識別情報を用いて前記ウェブサイトにログインすることによって、前記レシート明細データの閲覧が可能となる。
【００８０】
代りに、プロセッサ１は、前記会員個人が店舗に代金を支払う際に、店舗端末２００（ＰＯＳ端末４０）に、個人識別用媒体６０’（携帯電話）の個人識別情報（電話番号）を入力させた後に、支払いを行った場合で、しかも、店舗端末２００（ＰＯＳ端末４０）に入力された個人識別用媒体６０’（携帯電話）の個人識別情報（電話番号）が前記保持情報中の前記個人識別情報に一致し、一致した個人識別情報に対応する前記保持情報中の前記レシート受け取り方法情報が電子メールでの受信を表わしている場合に、店舗端末２００（ＰＯＳ端末４０）から送信された、前記支払いの明細を表わすレシート明細データと店舗端末２００に入力された前記個人識別情報とを受信すると、メモリ２に、前記レシート明細データを前記個人識別情報に対応させて記憶させるステップを、第３のステップとして、実行する。
【００８１】
この場合、プロセッサ１は、前記第１のステップとして、前記個人識別情報及び前記レシート受け取り方法情報のみならず、前記会員個人のメールアドレスをも入力され、該メールアドレスを前記個人識別情報に対応させてメモリ２に記憶させるステップを実行している。そして、プロセッサ１は、メモリ２に前記個人識別情報に対応して記憶されている前記レシート明細データを、前記個人識別情報に対応して記憶されているメールアドレスへ送信する第４のステップを、更に実行する。
【００８２】
これにより、前記メールアドレスを有するユーザー端末（別端末）５０にて、前記レシート明細データの受信が可能となる。
【００８３】
［第２の実施例の詳細な構成］
第２の実施例は、個人識別用媒体６０’が記録媒体でない場合の例である。個人識別用媒体６０’とは携帯電話または記録不可の会員カード等である。
【００８４】
ＷＥＢ端末１０はパーソナルコンピュータ等の情報処理装置である。ＷＥＢ端末１０は個人識別情報を登録し、ネットワーク１００を介して管理センター端末２０’へ送出する機能を備えている。個人識別情報とは顧客１人１人を識別するための情報であり、例えば会員番号、氏名、住所、電話番号、パスワード等の情報である。本個人識別情報にはレシート受け取り方法指定情報も含む。
【００８５】
本手順は本発明のサービスを受けるためにインターネット等を通じて申請を行う場合を想定している。第１の実施例同様ＷＥＢ端末１０は本発明における必須条件ではない。
【００８６】
管理センター端末２０’はワークステーション・サーバー等の情報処理装置によって構成される。
【００８７】
管理センター端末２０’は顧客がＷＥＢ端末１０で登録した情報を受け取り保管、管理する機能を有する。
【００８８】
また、管理センター端末２０’は、登録された情報の中で店舗にて使用される個人識別用媒体６０’の個人識別情報と個人識別情報とを結び付けられる個人識別データ（例えば携帯電話番号、会員番号）とレシート受け取り方法指定情報を店舗サーバー３０へ送出する機能を有する。顧客がＷＥＢでの閲覧またはメールでの受け取りを指定した場合に指定の方法に従いレシートデータを加工し、ＷＥＢサイトへのデータ更新およびユーザ端末５０へメール配信する機能を有する。店舗側にてデータ加工される場合には、管理センター端末２０’にデータ加工の機能は不要である。
【００８９】
店舗サーバー３０はワークステーション・サーバー等の情報処理装置によって構成される。
【００９０】
店舗サーバー３０は店舗にある複数のＰＯＳ端末４０と接続されており、定期的に管理センター端末２０’から受け取る個人識別データとレシート受け取り方法指定情報を受け取り保持し、取引の際にＰＯＳ端末４０から個人識別用媒体６０’の個人特識別情報を受け取り、認証手続きを行い、認証完了後にＰＯＳ端末４０に対し認証完了許可を行いかつ顧客が指定したレシート受け取り方法をＰＯＳ端末４０に対し指定する機能を有する。また、取引毎に管理センター端末２０’に認証問い合わせを行う場合は、個人識別用媒体６０’の個人識別情報を管理センター端末２０’に送り、管理センター端末２０’での認証完了後に管理センター端末２０’から該個人識別媒体６０’所有の顧客が指定したレシート受け取り方法指定情報を受け取り、ＰＯＳ端末４０に認証完了許可を行いかつレシート受け取り方法を指定する機能を有する。
【００９１】
また、店舗サーバー３０は顧客がＷＥＢまたはメールでの受け取りを指定した場合にＰＯＳ端末４０からレシートに記載する情報を受け取り、ネットワーク１００を介し管理センター端末２０’にデータを送出する機能を有している。
【００９２】
尚、実施例では中大規模店を想定しているが、小規模店の場合はＰＯＳ端末４０が店舗サーバー機能を兼用可能である。
【００９３】
ＰＯＳ端末４０は店舗にあるＰＯＳターミナル装置である。ＰＯＳ端末４０には個人識別用媒体６０’から個人情報を読み取る機器が接続されている。例えば携帯電話の場合は、赤外線による通信などがある。会員カードの場合は、会員番号等である。ＰＯＳ端末４０は個人識別用媒体６０’からの個人識別情報を受け取り、店舗サーバー３０へ送出する機能を有する。また、ＰＯＳ端末４０は、店舗サーバー３０から受けた認証完了許可およびレシート受け取り方法指定情報に従いレシート発行処理を行う。レシート受け取り方法指定情報が、ＷＥＢサイトにて明細を閲覧またはレシート明細を電子メール等で受信を指定されている場合は、個人特定用情報とともにレシートに記載する情報を店舗サーバー３０にレシート明細データとして送出する。レシート受け取り方法指定情報が、従来同様紙での発行を指定の場合はレシートを発行する。また、受け取り方法指定情報が、レシート不要の場合はレシートを発行せずまたデータ送信も行わない。
【００９４】
ユーザ端末５０はパーソナルコンピュータ等の情報処理装置である。ユーザ端末５０はＷＥＢサイトにて明細を閲覧またはレシート明細を電子メール等で受信するための端末である。ユーザ端末５０は携帯電話またはＰＤＡ等も含む。個人識別用媒体６０’は顧客の識別を行うために用いる媒体である。本実施例の場合は個人識別用媒体６０’は携帯電話または会員カードである。
【００９５】
以上説明した本発明の実施例によれば、必要な人にのみ紙でのレシートを発行できるため、資源節約、店舗側のコスト低減、取引の簡便化が可能となる。
【００９６】
また、顧客個人個人が異なる方法でレシートを受け取ることが出来る。
【００９７】
更に、事前にレシート受け取り方法を指定できるので、清算時に申告や特別な処理をすることなく希望の方法でレシートを受け取ることができる。
【図面の簡単な説明】
【００９８】
【図１】本発明の第１の実施例によるレシート発行管理システムのブロック図である。
【図２】図１に示したレシート発行管理システムのレシート発行管理装置のブロック図である。
【図３】図１に示したレシート発行管理システムの動作を説明するためのフローチャートである。
【図４】本発明の第２の実施例によるレシート発行管理システムのブロック図である。
【図５】図４に示したレシート発行管理システムのレシート発行管理装置のブロック図である。
【符号の説明】
【００９９】
１００    ネットワーク
２００    店舗端末
１０    ＷＥＢ端末
２０    管理センター端末（レシート発行管理装置）
２０’    管理センター端末（レシート発行管理装置）
３０    店舗サーバー
４０    ＰＯＳ端末
５０    ユーザー端末（別端末）
６０    個人識別用媒体
６０’    個人識別用媒体
１    プロセッサ
２    メモリ
３    通信手段
４    キー入力部
５    プログラム（レシート発行管理装置用プログラム）
５’    プログラム（レシート発行管理装置用プログラム）
【図１】
2005025664.tif 000003
【図２】
2005025664.tif 000004
【図３】
2005025664.tif 000005
【図４】
2005025664.tif 000006
【図５】
2005025664.tif 000007